(57)【要約】      （修正有）【課題】操作中の煩わしさを抑制して操作性が良い電子機器を提供する。【解決手段】空調装置１は、操作指の接触を検出すると共になされた操作に基づいて割り当てられた機能に関連する値を変更する操作部２と、操作部２に対する操作指の接触が検出されるとメイン画面４０から割り当てられた機能に関連する機能画面に遷移させると共に操作指の接触が検出されなくなると機能画面からメイン画面４０に遷移させるように表示部４を制御し、操作部２に対する操作指の接触が検出されなくなるまでに操作部２の持ち替えに起因する操作指の接触状態の変化が判定された場合、操作指が検出されなくなった後、予め定められた時間の間、メイン画面４０に戻らずに機能画面を表示させる制御部６と、を備えて概略構成されている。【選択図】図１
2018118526.tif 000002
【特許請求の範囲】
【請求項１】
操作指の接触を検出すると共になされた操作に基づいて割り当てられた機能に関連する値を変更する操作部と、
前記操作部に対する操作指の接触が検出されるとメイン画面から前記割り当てられた機能に関連する機能画面に遷移させると共に操作指の接触が検出されなくなると前記機能画面から前記メイン画面に遷移させるように表示部を制御し、前記操作部に対する操作指の接触が検出されなくなるまでに前記操作部の持ち替えに起因する操作指の接触状態の変化が判定された場合、操作指が検出されなくなった後、予め定められた時間の間、前記メイン画面に戻らずに前記機能画面を表示させる制御部と、
を備えた電子機器。
【請求項２】
前記操作部が、回転可能な操作ノブと、前記操作ノブの回転量を検出する回転量検出部と、前記操作ノブに接触する操作指を検出するタッチセンサと、を有する、
請求項１に記載の電子機器。
【請求項３】
前記制御部は、操作指の本数の変化、操作指の面積の減少、及び操作指の検出された位置のずれの少なくとも１つが前記操作部によって検出された場合、前記操作部の持ち替えに起因する操作指の接触状態の変化があったと判定する、
請求項１又は２に記載の電子機器。
【発明の詳細な説明】
【技術分野】
【０００１】
本発明は、電子機器に関する。
【背景技術】
【０００２】
従来の技術として、ダイヤルノブを押し込まずに回転させると空調装置の設定温度を調整でき、ダイヤルノブを押し込みながら回転させると空調装置の風量を調整することができる操作装置が知られている（例えば、特許文献１参照。）。
【０００３】
この操作装置は、ダイヤルノブが押し込まれる前は、設定温度及び風量が表示される通常状態の表示を表示させ、ダイヤルノブが押し込まれた後は、風量に関する表示のみを表示させ、押し込みを解除すると通常状態の表示に戻るように構成されている。
【先行技術文献】
【特許文献】
【０００４】
【特許文献１】特開２００９−３０２００４号公報
【発明の概要】
【発明が解決しようとする課題】
【０００５】
操作装置が、一例として、操作部に操作指が接触すると表示が切り替わる構成を有する場合、操作者が操作量を増やすために操作部を持ち替えたとき、通常状態の表示に戻って操作性が良くない可能性がある。
【０００６】
従って本発明の目的は、操作中の煩わしさを抑制して操作性が良い電子機器を提供することにある。
【課題を解決するための手段】
【０００７】
本発明の一態様は、操作指の接触を検出すると共になされた操作に基づいて割り当てられた機能に関連する値を変更する操作部と、操作部に対する操作指の接触が検出されるとメイン画面から割り当てられた機能に関連する機能画面に遷移させると共に操作指の接触が検出されなくなると機能画面からメイン画面に遷移させるように表示部を制御し、操作部に対する操作指の接触が検出されなくなるまでに操作部の持ち替えに起因する操作指の接触状態の変化が判定された場合、操作指が検出されなくなった後、予め定められた時間の間、メイン画面に戻らずに機能画面を表示させる制御部と、を備えた電子機器を提供する。
【発明の効果】
【０００８】
本発明によれば、操作中の煩わしさを抑制して操作性が良い。
【図面の簡単な説明】
【０００９】
【図１】図１（ａ）は、実施の形態に係る空調装置の一例を示す概略図であり、図１（ｂ）は、空調装置のブロック図の一例である。
【図２】図２（ａ）は、実施の形態に係る空調装置のメイン画面の一例を示す概略図であり、図２（ｂ）は、空調装置の機能画面の一例を示す概略図である。
【図３】図３（ａ）〜図３（ｄ）は、実施の形態に係る空調装置の操作部に対する操作の一例を説明するための概略図である。
【図４】図４（ａ）及び図４（ｂ）は、実施の形態に係る空調装置が判定する接触状態の変化の一例である面積の減少を説明するための概略図であり、図４（ｃ）は、接触状態の変化の一例である接触位置の変化を説明するための概略図である。
【図５】図５は、実施の形態に係る空調装置の動作の一例を示すフローチャートである。
【発明を実施するための形態】
【００１０】
（実施の形態の要約）
実施の形態に係る電子機器は、操作指の接触を検出すると共になされた操作に基づいて割り当てられた機能に関連する値を変更する操作部と、操作部に対する操作指の接触が検出されるとメイン画面から割り当てられた機能に関連する機能画面に遷移させると共に操作指の接触が検出されなくなると機能画面からメイン画面に遷移させるように表示部を制御し、操作部に対する操作指の接触が検出されなくなるまでに操作部の持ち替えに起因する操作指の接触状態の変化が判定された場合、操作指が検出されなくなった後、予め定められた時間の間、メイン画面に戻らずに機能画面を表示させる制御部と、を備えて概略構成されている。
【００１１】
この電子機器は、操作部の持ち替えが判定された場合、一時的に操作部との接触を解除しても直ぐにメイン画面に戻らないので、この構成を採用しない場合と比べて、操作中に機能画面からメイン画面に戻る煩わしさを抑制して操作性が良い。
【００１２】
[実施の形態]
（空調装置１の概要）
図１（ａ）は、実施の形態に係る空調装置の一例を示す概略図であり、図１（ｂ）は、空調装置のブロック図の一例である。図２（ａ）は、実施の形態に係る空調装置のメイン画面の一例を示す概略図であり、図２（ｂ）は、空調装置の機能画面の一例を示す概略図である。図３（ａ）〜図３（ｄ）は、実施の形態に係る空調装置の操作部に対する操作の一例を説明するための概略図である。図４（ａ）及び図４（ｂ）は、実施の形態に係る空調装置が判定する接触状態の変化の一例である面積の減少を説明するための概略図であり、図４（ｃ）は、接触状態の変化の一例である接触位置の変化を説明するための概略図である。
【００１３】
図３（ａ）は、目的の回転角θ１を示している。図３（ｂ）は、最初の回転操作による回転角θ２を示すと共に、持ち替えるため接触が検出される操作指の本数が減っている一例を示している。図３（ｃ）は、目的の回転角θ１まで回転させるため、操作ノブ２０を持ち替えて操作ノブ２０から操作指９が離れた様子を示している。図３（ｄ）は、操作ノブ２０を持ち替えて目的の回転角θ１となるように回転角θ３分、追加で回転操作した様子を示している。回転角θ１及び回転角θ２は、基準２００からの回転角である。また回転角θは、一例として、基準２００に対して時計回りが正、反時計回りを負とする。なお、以下に記載する実施の形態に係る各図において、図形間の比率は、実際の比率とは異なる場合がある。また図１（ｂ）では、主な信号や情報の流れを矢印で示している。さらに数値範囲を示す「Ａ〜Ｂ」は、Ａ以上Ｂ以下の意味で用いるものとする。
【００１４】
本実施の形態の電子機器は、一例として、図１（ａ）及び図１（ｂ）に示す空調装置１である。この空調装置１は、車両に搭載された電子機器であり、車両の室内に温度調整された空気を送出するように構成されている。なお電子機器は、空調装置１に限定されず、一例として、ナビゲーション装置、音楽再生装置、映像再生装置などであっても良い。
【００１５】
この空調装置１は、例えば、図２（ａ）及び図２（ｂ）に示すように、操作部２に操作指９が接触すると、デフォルト画面であるメイン画面４０から機能画面４５に表示が切り替わるように構成されている。そして空調装置１は、操作指９が非検出となると、機能画面４５からメイン画面４０に表示が切り替わるように構成されている。
【００１６】
また空調装置１は、操作者が操作部２の回転量を増やすため操作部２を持ち替えて操作する際、操作者が意図しないのに機能画面４５からメイン画面４０に遷移することを抑制するため、操作部２から操作指が離れた場合の表示の切替タイミングを変えるように構成されている。
【００１７】
具体的には空調装置１は、例えば、図１（ａ）及び図１（ｂ）に示すように、操作指の接触を検出すると共になされた操作に基づいて割り当てられた機能に関連する値を変更する操作部２と、操作部２に対する操作指の接触が検出されるとメイン画面４０から割り当てられた機能に関連する機能画面４５に遷移させると共に操作指の接触が検出されなくなると機能画面４５からメイン画面４０に遷移させるように表示部４を制御し、操作部２に対する操作指の接触が検出されなくなるまでに操作部２の持ち替えに起因する操作指の接触状態の変化が判定された場合、操作指が検出されなくなった後、予め定められた時間Ｔの間、メイン画面４０に戻らずに機能画面４５を表示させる制御部６と、を備えて概略構成されている。
【００１８】
なお空調装置１は、操作された操作部２ではなく、他の操作部２において操作指の接触が検出された場合は、予め定められた時間Ｔ内であっても他の操作部２に関連する機能の機能画面４５に表示を切り替える。この予め定められた時間Ｔは、一例として、３００〜５００ｍｓである。
【００１９】
また空調装置１は、例えば、メイン画面４０などを表示する表示部４と、温度調整された空気を生成すると共に選択された吹出口から空気を送出させる空調制御機構部５と、を備えている。
【００２０】
操作部２は、一例として、なされた操作に基づいて、割り当てられた機能に関連する値（設定値）として設定温度を変更することができるように構成されているがこれに限定されず、風量、吹出口の場所、モードなどを変更するように構成されても良い。
【００２１】
（操作部２の構成）
空調装置１は、一例として、運転席や助手席に着座する操作者から見て斜め前方に配置されている。また空調装置１は、運転席側の操作部２、及び助手席側の操作部２を備えている。
【００２２】
この空調装置１は、操作者が操作部２に接触すると設定温度に関連した機能画面４５に表示を切り替えるように構成されている。この操作部２には、一例として、２４段階の節度が設定され、０．５℃ステップで設定温度を設定できるように構成されている。つまり１段階の節度の回転角θは、１５°である。そして設定温度は、操作部２が１５°回転する度に０．５℃変化する。なお運転席側と助手席側の操作部２は、基本的な構成が同じであるので、以下では、主に運転席側の操作部２について説明する。
【００２３】
操作部２は、例えば、図１（ａ）に示すように、回転可能な操作ノブ２０と、操作ノブ２０に接触する操作指９を検出するタッチセンサ２２と、操作ノブ２０の回転量を検出する回転量検出部２４と、を備えて概略構成されている。この操作ノブ２０は、例えば、図１（ａ）に示すように、筐体１０の表面に配置された表示部４を挟んで配置されている。
【００２４】
操作ノブ２０は、円筒形状を有し、内側の側面にタッチセンサ２２が配置されている。この操作ノブ２０は、例えば、図１（ａ）の紙面において矢印で示す左右方向、言い換えるなら反時計方向及び時計方向に回転可能に構成されている。
【００２５】
タッチセンサ２２は、例えば、操作ノブ２０に接触した操作指を検出する静電容量方式のセンサである。このタッチセンサ２２は、マルチタッチを検出すると共に、その接触位置を検出するように構成されている。
【００２６】
タッチセンサ２２は、周期的に操作指の検出を行い、検出結果を検出信号Ｓ１として制御部６に出力する。制御部６は、入力する検出信号Ｓ１に基づいて操作指の本数や接触位置を判定するように構成されている。
【００２７】
回転量検出部２４は、例えば、操作ノブ２０の回転量を検出するセンサであり、光を利用して回転量を検出するセンサや磁場の変化を利用して回転量を検出するセンサである。回転量検出部２４は、検出した回転量、つまり節度の数の情報を回転量情報Ｓ２として制御部６に出力するように構成されている。制御部６は、取得した回転量情報Ｓ２に基づく節度の数に応じて設定温度を変更する。
【００２８】
（表示部４の構成）
表示部４は、例えば、矩形状を有した液晶モニタとして概略構成されている。この表示部４は、例えば、制御部６から出力される表示制御信号Ｓ３に基づいて表示を変えるように構成されている。
【００２９】
表示部４は、例えば、デフォルト画面であるメイン画面４０と、操作部２ごとに割り当てられた機能に関する複数の機能画面４５と、を有している。メイン画面４０は、例えば、図１（ａ）に示すように、吹出口や現在のモードなどを表示する中央表示領域４１と、助手席側の設定温度を表示する温度表示領域４２と、運転席側の設定温度を表示する温度表示領域４３と、風量を表示する風量表示領域４４と、を有している。
【００３０】
機能画面４５は、例えば、図２（ｂ）に示すように、操作指９が検出された操作部２に割り当てられた機能に関する画面である。この機能画面４５は、例えば、調整対象である設定温度が表示された中央表示領域４１と、風量表示領域４４と、を有している。
【００３１】
表示部４は、例えば、図２（ａ）及び図２（ｂ）に示すように、運転席側の操作部２が運転席側の設定温度の調整機能を有する場合、操作指９が検出されると、メイン画面４０から機能画面４５に表示を切り替える。この機能画面４５の中央表示領域４１に表示された設定温度は、操作ノブ２０の回転に応じて変化する。
【００３２】
（空調制御機構部５の構成）
空調制御機構部５は、設定された設定温度の空気を生成して選択された吹出口から設定された風量で送出する機構を有している。この空調制御機構部５は、制御部６から出力される制御信号Ｓ４に基づいて空気の温度と風量を調整すると共に空気を送出する吹出口の選択を行う。
【００３３】
（制御部６の構成）
制御部６は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部６が動作するためのプログラムと、時間しきい値６１と、が格納されている。ＲＡＭは、例えば、一時的に演算結果などを格納する記憶領域として用いられる。また制御部６は、その内部にクロック信号を生成する手段を有し、このクロック信号に基づいて動作を行う。
【００３４】
制御部６は、例えば、予め定められた時間Ｔとして時間しきい値６１を有し、操作指９が不検出となってからの経過時間が時間しきい値６１以上となると、機能画面４５からメイン画面４０に表示を切り替える表示制御信号Ｓ３を表示部４に出力する。つまり時間しきい値６１は、機能画面４５からメイン画面４０に切り替えるタイムラグを生成するために設定されている。
【００３５】
また制御部６は、例えば、図３（ａ）〜図４（ｃ）に示すように、操作指の本数の変化、操作指の面積の減少、及び操作指の検出された位置のずれの少なくとも１つが操作部２によって検出された場合、操作部２の持ち替えに起因する操作指の接触状態の変化があったと判定する。
【００３６】
制御部６は、例えば、検出信号Ｓ１に基づいて操作指の本数、及び検出位置を時系列的に記憶すると共に、操作指の面積を算出して時系列的に記憶する。また制御部６は、この接触状態の変化を判定する際の判定基準を有している。
【００３７】
ここで操作者が設定温度を大きく変更するため、一度に操作し難い回転角θ１分、操作する場合（例えば、十数段階以上の節度分回転操作したい場合）、一例として、図３（ａ）及び図３（ｂ）に示すように、まず回転させられるだけ操作ノブ２０を回転させる。この際、手首を大きく捻ることから操作部２から操作指９が離れ易い。なお操作者は、例えば、設定温度を６℃上昇させるためには、操作部２を１２段階、つまり１８０°回転させなければならならない。
【００３８】
よって検出される操作指９の本数が減少する接触状態の変化が生じ易い。また操作指が離れ易い、つまり接触状態が不安定となることから、例えば、図４（ａ）及び図４（ｂ）に示すように、検出される操作指９の本数が変わらなくても操作開始時の操作指９の面積９０よりも操作中の面積９１が小さくなって操作部２に対する接触面積が減少し易い。
【００３９】
従って制御部６は、操作指の本数の減少や接触面積の減少が検出された場合、操作部２の持ち替えが行われると判定する。制御部６は、一例として、判定基準である予め定められた割合、接触面積が減少していた場合、持ち替えが行われると判定する。
【００４０】
次に操作者は、一例として、図３（ｃ）に示すように、一度操作指９を操作ノブ２０から離して回転させ易いように持ち替える。そして操作者は、例えば、図３（ｄ）に示すように、再度操作ノブ２０を所望の角度（回転角θ１）となるように最初の回転角θ２から回転角θ３まで回転させる。なおθ１＝θ２＋θ３である。
【００４１】
この際、図３（ｃ）において操作指９が操作ノブ２０から離れているので、タッチセンサ２２は、操作指９を検出しない。しかしその後、図３（ｄ）において、操作者が再度操作ノブ２０に操作を行うので、図３（ｃ）のタイミングで機能画面４５からメイン画面４０に表示が遷移すると操作者が煩わしさを感じる可能性がある。
【００４２】
そこで制御部６は、操作部２を持ち替えるために操作指が一時的に非検出となったと判定した場合、機能画面４５からメイン画面４０に直ぐに切り替えずにタイムラグを置いて表示を切り替えるように構成されている。これによって操作者は、操作中に機能画面４５からメイン画面４０に遷移する煩わしさが抑制される。
【００４３】
また操作者は、例えば、十数段階以上の節度分、回転操作する場合、例えば、図４（ｃ）に示すように、完全に操作部２から操作指９を離さずに、つまり操作部２の接触を保ちつつ操作指９を移動させ、再度操作することがある。従って制御部６は、検出された操作指９の本数が減少しなくても操作指９の検出された位置のずれが見られた場合、操作指９の接触状態が変化したと判定する。
【００４４】
操作者が数段階程度の節度分操作する場合、持ち替えることなく操作することができるので、接触状態の変化が少ない。よって制御部６は、判定基準より接触状態の変化が少なく、持ち替えがないと判定すると、操作部２から操作指が離れた際には操作が終了したものとして通常の切替タイミングで表示を切り替える。これによって操作者は、操作が終了したにも拘らず表示が切り替わらない煩わしさが抑制される。
【００４５】
なお変形例として制御部６は、操作指の本数の変化、操作指の面積の減少、及び操作指の検出された位置のずれのいずれか１つだけを判定して操作指の接触状態の変化があったと判定するように構成されても良い。
【００４６】
以下に本実施の形態の空調装置１の動作の一例について図５のフローチャートに従って説明する。ここでは、設定値として設定温度が変更される場合を例に取って説明する。
【００４７】
（動作）
空調装置１の制御部６は、電源が投入されると、タッチセンサ２２から検出信号Ｓ１を取得する。制御部６は、この検出信号Ｓ１に基づいてステップ１の「Ｙｅｓ」が成立する、つまり操作指が検出された場合（Ｓｔｅｐ１：Ｙｅｓ）、表示部４に表示されたメイン画面４０を、操作指が検出された操作部２に割り当てられた機能に関連する機能画面４５に切り替えさせる表示制御信号Ｓ３を生成して表示部４に出力し、メイン画面４０から機能画面４５に表示を切り替えさせる（Ｓｔｅｐ２）。
【００４８】
制御部６は、取得した回転量情報Ｓ２に基づいて操作ノブ２０の回転が検出された場合、検出された節度の数に応じて設定温度を変更する制御信号Ｓ４を生成して空調制御機構部５に出力すると共に、設定温度の表示を変更する表示制御信号Ｓ３を生成して表示部４に出力する（Ｓｔｅｐ３）。この際、機能画面４５の中央表示領域４１に表示された設定温度を示す数字が、検出された節度の数に応じて変更される。
【００４９】
制御部６は、操作指が非検出となった、つまり検出されない場合（Ｓｔｅｐ４：Ｙｅｓ）、接触状態の判定を行う。制御部６は、接触状態が変化している場合（Ｓｔｅｐ５：Ｙｅｓ）、持ち替えが行われると判定して時間しきい値６１に基づいて予め定められた時間Ｔ、機能画面４５からメイン画面４０への切り替えを行わず、継続して機能画面４５を表示させる（Ｓｔｅｐ６）。
【００５０】
そして制御部６は、時間しきい値６１より長い時間、接触が検出されない場合（Ｓｔｅｐ７：Ｙｅｓ）、機能画面４５からメイン画面４０に表示を切り替える表示制御信号Ｓ３を生成して表示部４に出力し、機能画面４５からメイン画面４０に表示を切り替える（Ｓｔｅｐ８）。
【００５１】
ここでステップ４において制御部６は、操作指の接触が継続している場合（Ｓｔｅｐ４：Ｎｏ）、ステップ３に処理を進める。
【００５２】
またステップ５において制御部６は、接触状態の変化がない場合（Ｓｔｅｐ５：Ｎｏ）、操作が終了したと判定してステップ８に処理を進め、機能画面４５からメイン画面４０に表示を切り替えさせる。
【００５３】
さらにステップ７において制御部６は、時間しきい値６１内に接触が検出された場合（Ｓｔｅｐ７：Ｎｏ）、ステップ３に処理を進める。
【００５４】
（実施の形態の効果）
本実施の形態に係る空調装置１は、操作中の煩わしさを抑制して操作性を良くすることができる。具体的には、この空調装置１は、操作部２から操作指が離れた場合、操作部２を持ち替えるために操作指を離したのか、操作が終了したから離したのかを操作指の接触状態の変化に基づいて判定して表示の切替タイミングを変えることができる。従って空調装置１は、操作が終了して素早くメイン画面４０に戻って欲しい場合には素早く切り替わり、操作中で切り替わって欲しくない場合には機能画面４５を継続して表示するので、この構成を採用しない場合と比べて、操作者の意図に沿った表示を行って操作中の煩わしさを抑制して操作性を良くすることができる。また空調装置１は、操作が終了すると直ぐにメイン画面４０に表示が切り替わり、操作中であれば操作指が離れても表示を切り替えない、つまり表示の切替にタイムラグを設定するので、この構成を採用しない場合と比べて、操作者の認知の負担を軽減することができる。
【００５５】
他の実施の形態として空調装置１は、操作部２がなぞり操作可能なタッチセンサで構成されても良い。この場合、空調装置１は、操作部２になされたなぞり操作の方向、操作量及び操作指の本数などに基づいて対象の設定値を変更したり、対象を切り替えたりする。そして空調装置１の制御部６は、検出されたなぞり操作に伴って接触状態が変化した場合、予め定められた時間Ｔ、機能画面４５からメイン画面４０に切り替えずに機能画面４５を継続して表示させる。
【００５６】
上述の実施の形態及び変形例に係る空調装置１は、例えば、用途に応じて、その一部が、コンピュータが実行するプログラム、ＡＳＩＣ（Application Specific Integrated Circuit）及びＦＰＧＡ（Field Programmable Gate Array）などによって実現されても良い。
【００５７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００５８】
１…空調装置、２…操作部、４…表示部、５…空調制御機構部、６…制御部、９…操作指、１０…筐体、２０…操作ノブ、２２…タッチセンサ、２４…回転量検出部、４０…メイン画面、４１…中央表示領域、４２，４３…温度表示領域、４４…風量表示領域、４５…機能画面、６１…時間しきい値、９０，９１…面積、２００…基準
【図１】
2018118526.tif 000003
【図２】
2018118526.tif 000004
【図３】
2018118526.tif 000005
【図４】
2018118526.tif 000006
【図５】
2018118526.tif 000007